(57)【要約】【課題】同一周波数バンド内の異なる周波数キャリアのセルの品質情報を取得する場合に、測定する周波数キャリアの数を削減することを目的とする。【解決手段】本発明の一形態に係る基地局は、同一周波数バンド内に存在するセルのうち、同一アンテナにより形成されているセルのグループを管理するセル構成管理部と、移動機に測定を指示する１以上の周波数キャリアを選択する際に、前記セル構成管理部において管理されている、同一周波数バンド内に存在する同一グループのセルの複数の周波数キャリアについては、前記複数の周波数キャリアの一部を測定対象から除外した上で、周波数キャリアの測定を前記移動機に指示する測定キャリア選択及び指示部とを備える。【選択図】図４
2018038016.tif 000002
【特許請求の範囲】
【請求項１】
同一周波数バンド内に存在するセルのうち、同一アンテナにより形成されているセルのグループを管理するセル構成管理部と、
移動機に測定を指示する１以上の周波数キャリアを選択する際に、前記セル構成管理部において管理されている、同一周波数バンド内に存在する同一グループのセルの複数の周波数キャリアについては、前記複数の周波数キャリアの一部を測定対象から除外した上で、周波数キャリアの測定を前記移動機に指示する測定キャリア選択及び指示部と、
を備える基地局。
【請求項２】
前記移動機から前記測定を指示した周波数キャリアに関するメジャメントレポートを取得し、当該メジャメントレポートにおいて測定されたセルと同一グループのセルを前記セル構成管理部から取得し、前記同一グループのセルの品質情報を前記メジャメントレポートにおいて測定されたセルの品質情報と同等と見なすメジャメントレポート取得部を更に備える、
ことを特徴とする請求項１に記載の基地局。
【請求項３】
前記測定キャリア選択及び指示部は、前記周波数キャリアの一部を測定対象から除外した後に、他の周波数キャリアを測定対象として追加する、
ことを特徴とする請求項１又は２に記載の基地局。
【請求項４】
前記測定キャリア選択及び指示部は、
同一周波数バンド内に存在する複数の周波数キャリアの中で、同一アンテナにより形成されたセルが存在しない周波数キャリアを測定対象から除外する、
ことを特徴とする請求項１乃至３のうちいずれか１項に記載の基地局。
【請求項５】
前記セル構成管理部は、
自基地局において同一アンテナにより形成されているセルのグループの情報を他の基地局へ通知し、また、他の基地局において同一アンテナにより形成されているセルのグループの情報を当該他の基地局から取得する、
ことを特徴とする請求項１乃至４のうちいずれか１項に記載の基地局。
【請求項６】
基地局における周波数キャリアの測定指示方法であって、
同一周波数バンド内に存在するセルのうち、同一アンテナにより形成されているセルのグループを管理するステップと、
移動機に測定を指示する１以上の周波数キャリアを選択する際に、前記管理されている、同一周波数バンド内に存在する同一グループのセルの周波数キャリアについては、当該周波数キャリアの一部を測定対象から除外した上で、周波数キャリアの測定を前記移動機に指示するステップと、
を備える測定指示方法。
【発明の詳細な説明】
【技術分野】
【０００１】
本発明は、無線通信システムにおける基地局及び測定指示方法に関する。
【背景技術】
【０００２】
３ＧＰＰ（3rd Generation Partnership Project）で標準化されているＬＴＥ（Long Term Evolution）方式の移動通信システムは、移動機（ＵＥ：User Equipment）の移動などによって受信品質が劣化した際に、受信品質の良い他のセルへ通信先の基地局（ｅＮＢ：Evolved Node B）を切替えるハンドオーバ制御が利用されている。また、高速、大容量の通信を実現するために、各周波数帯のセルの負荷分散を目的とするバンド分散ハンドオーバ制御（「バンド分散制御」とも表記する）も利用されている。また、ＬＴＥを進化させたＬＴＥ−Ａｄｖａｎｃｅｄでは、複数の周波数バンドを用いて移動機と通信するためのＣＡ（Carrier Aggregation）制御が導入されている。
【０００３】
ハンドオーバ制御、バンド分散制御、及びＣＡ制御では、基地局は移動機に１以上の周波数キャリアの測定を指示し、移動機は各周波数キャリアの品質に関する測定結果を取得する。基地局は、移動機が取得した各周波数バンドの品質測定結果に基づき、ハンドオーバ制御及びバンド分散制御において移動機が在圏すべきセルを決定したり、あるいは、ＣＡ制御において移動機に設定するセカンダリセルを決定したりする（特許文献１参照）。
【先行技術文献】
【特許文献】
【０００４】
【特許文献１】特開２０１６−９６３７３号公報
【非特許文献】
【０００５】
【非特許文献１】３ＧＰＰ  ＴＳ３６．１３３  Ｖ１３．３．０（２０１６−０３）
【発明の概要】
【発明が解決しようとする課題】
【０００６】
ＬＴＥシステムでは、移動機が１つの周波数キャリアを測定し、測定結果を基地局へ報告するまでの最大時間が規定されている（非特許文献１参照）。なお、ＬＴＥシステムでは、単一の周波数バンド内であっても中心周波数の異なる複数のセルが存在し得る。図１は、ＬＴＥシステムにおける周波数バンドと周波数キャリアの関係を示す図である。周波数バンドＸＸ内において、中心周波数が異なる２つの周波数キャリア＃Ａ及び＃Ｂが設定されており、セル＃１内では周波数キャリア＃Ａにて通信可能であり、セル＃２内では周波数キャリア＃Ｂにて通信可能である。このように、中心周波数が異なれば別の周波数キャリアと見なされるため、移動機はセル＃１の品質とセル＃２の品質を別々に測定し、測定結果を基地局へ報告する必要がある。このようにセルの品質を別々に測定する場合、移動機が測定する周波数キャリアの数が増え、基地局に品質測定結果を報告するまでに要する時間が増大する。また、移動機の消費電力も増大する。
【０００７】
本発明は、同一周波数バンド内の異なる周波数キャリアのセルの品質情報を取得する場合に、測定する周波数キャリアの数を削減することを目的とする。
【課題を解決するための手段】
【０００８】
本発明の一形態に係る基地局は、
同一周波数バンド内に存在するセルのうち、同一アンテナにより形成されているセルのグループを管理するセル構成管理部と、
移動機に測定を指示する１以上の周波数キャリアを選択する際に、前記セル構成管理部において管理されている、同一周波数バンド内に存在する同一グループのセルの複数の周波数キャリアについては、前記複数の周波数キャリアの一部を測定対象から除外した上で、周波数キャリアの測定を前記移動機に指示する測定キャリア選択及び指示部と、
を備えることを特徴とする。
【発明の効果】
【０００９】
本発明によれば、同一周波数バンド内の異なる周波数キャリアのセルの品質情報を取得する場合に、測定する周波数キャリアの数を削減することが可能になる。
【図面の簡単な説明】
【００１０】
【図１】ＬＴＥシステムにおける周波数バンドと周波数キャリアの関係を示す図
【図２】本発明の一実施形態による無線通信システムを示す概略図
【図３】本発明の一実施形態におけるＣＡ制御のシーケンス図
【図４】本発明の一実施形態における基地局の構成例を示す概略ブロック図
【図５】セル構成管理部において保持されているセル情報の一例を示す図（その１）
【図６】セル構成管理部において管理されているセル情報の一例を示す図（その２）
【図７】本発明の一実施形態における部分キャリア測定制御のフロー図
【図８】部分キャリア測定が実施できない周波数キャリアが存在する例を示す概略図
【図９】セル構成管理部において保持されているセル情報の一例を示す図（その３）
【図１０】本発明の一実施形態におけるメジャメントレポート取得制御のフロー図
【図１１】基地局間での情報交換によりセル情報を生成する例を示す概略図
【図１２】本発明の一実施形態による基地局のハードウェア構成の一例を示す図
【発明を実施するための形態】
【００１１】
本発明の実施形態について、図面を用いて説明する。
【００１２】
＜無線通信システムの構成＞
まず、図２を参照して、本発明の一実施形態による無線通信システムを説明する。図２は、本発明の一実施形態による無線通信システムを示す概略図である。
【００１３】
図２に示されるように、無線通信システムは、１以上のアンテナ２０−１及び２０−２を有する基地局１０と、移動機３０とを有する。図２の例では、基地局１０及び移動機３０が１つずつ図示されているが、複数の基地局１０を有していてもよいし、複数の移動機３０を有していてもよい。
【００１４】
基地局１０は、１つ又は複数（例えば、３つ）の（セクタとも呼ばれる）セルを収容することができる。基地局ｅＮＢが複数のセルを収容する場合、基地局１０のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」又は「セクタ」という用語は、このカバレッジにおいて通信サービスを行う基地局、及び／又は基地局サブシステムのカバレッジエリアの一部又は全体を指す。さらに、「基地局」「ｅＮＢ」、「セル」、及び「セクタ」という用語は、本明細書では互換的に使用され得る。基地局ｅＮＢは、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【００１５】
移動機３０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００１６】
基地局１０は、１以上のセルを提供し、当該セルを介し移動機３０と無線通信を実施する。アンテナ２０−１は同一周波数バンドＸＸ内の異なる周波数キャリア＃Ａ及び＃Ｂのセル＃１及びセル＃２を提供し、アンテナ２０−２は同一周波数バンドＸＸ内の異なる周波数キャリア＃Ａ及び＃Ｂのセル＃３及びセル＃４を提供する。
【００１７】
基地局１０は、発着信時、通信中、終話時などの何れかのタイミングで他の１以上のセルの無線品質を測定させるためのメジャメントを移動機３０に指示し、移動機３０から各セルの測定結果に関するメジャメントレポートを取得する。基地局１０は、移動機３０から報告されたメジャメントレポートに基づき、移動機３０を他のセルに遷移させる（ハンドオーバ制御、バンド分散制御）、あるいは移動機３０に対してセカンダリセルを設定する（ＣＡ制御）、などの制御を実施する。
【００１８】
本実施形態は、基地局１０の有している複数セルが異なる周波数キャリアのセルであっても、当該セルのグループが同一周波数バンド内、かつ同一アンテナによって形成されている場合、同一グループのセルの無線品質が同等となることを利用している。すなわち、同一グループのセルの複数の周波数キャリアの中から一部の周波数キャリアのメジャメントを実施し、移動機から報告される周波数キャリアの品質測定結果を、メジャメントを実施していない周波数キャリアの品質測定結果としても用いることで、移動機にメジャメントを指示する周波数キャリアの数を削減することが可能になる。更に、削減した周波数キャリアの代わりに、他の周波数キャリアにおけるセルの品質情報を取得することも可能となる。以降、このような周波数キャリアの一部を測定対象から除外してメジャメントを実施する制御を部分キャリア測定とよぶ。
【００１９】
続いて、図３〜図１１を参照して、本発明の一実施形態による基地局を説明する。
【００２０】
図３は、本発明の一実施形態におけるＣＡ制御のシーケンス図である。本実施形態では、無線通信において、移動機（ＵＥ）３０がアイドル状態から発信する場合におけるＣＡ制御の実施形態を説明する。
【００２１】
基地局（ｅＮＢ）１０と移動機３０の間でＲＲＣ（Radio Resource Control）の設定を行った後（Ｓ１０１）、基地局１０は、任意のロジックを用いて、セカンダリセルの候補となり得るセル及び当該セルの周波数キャリアを選択する（Ｓ１０３）。このとき、選択した周波数キャリア及びその周波数バンドを参照し、後述する図７の説明にて示す論理により部分キャリア測定が可能な周波数バンドが存在するかどうかを判定する。部分キャリア測定が可能な周波数バンドが存在する場合、当該周波数バンドにおける周波数キャリアの一部を測定対象から除外した上で、移動機にメジャメントを指示する。例えば図３では、測定キャリアとして８００ＭＨｚバンドの周波数キャリア＃ａ、１．５ＧＨｚバンドの周波数キャリア＃ｂ、３．５ＧＨｚバンドの周波数キャリア＃ｃ及び周波数キャリア＃ｄを選択した後、３．５ＧＨｚバンドを部分キャリア測定可能であると判定し、周波数キャリア＃ｄを測定対象から除外している。
【００２２】
基地局１０は、測定対象として残った周波数キャリアのメジャメントを、RRC Connection Reconfigurationにて移動機３０に指示し（Ｓ１０５）、メジャメントの設定完了をRRC Connection Reconfiguration Completeにて移動機３０から受信する（Ｓ１０７）。移動機３０は、指示された周波数キャリアのメジャメントを実施し、各周波数キャリアにおける各セルの品質測定結果をメジャメントレポートにて基地局１０に報告する（Ｓ１１１、Ｓ１１３、Ｓ１１５）。
【００２３】
基地局１０は、受信したメジャメントレポートを参照し、部分キャリア測定を実施したバンドの周波数キャリアのセルが報告されている場合、後述する図１０の説明にて示す論理にて、部分キャリア測定により除外した周波数キャリア（３．５ＧＨｚ帯の周波数キャリア＃ｄ）のセルの品質情報を生成する（Ｓ１１７）。基地局１０は、取得した各周波数キャリアのセル品質情報等を参照し、ＣＡ制御にてセカンダリセルとして用いるセルを決定する（Ｓ１１９）。
【００２４】
このように、図３の例では、基地局１０は３周波数キャリア分のみのメジャメントしか移動機３０に指示していないにもかかわらず、４周波数キャリア分のセルの品質情報を取得することが可能となる。
【００２５】
なお、図３には、ＣＡ制御の例が示されているが、ハンドオーバ制御及びバンド分散制御も同様の手順にて実施可能である。
【００２６】
図４は、本発明の一実施形態における基地局１０の構成例を示す概略ブロック図である。
【００２７】
基地局１０は、無線通信制御部１０１と、セル構成管理部１０３と、測定キャリア選択及び指示部１０５と、メジャメントレポート取得部１０７とを有する。
【００２８】
無線通信制御部１０１は、移動機３０と無線通信を行う機能部である。無線通信制御部１０１は、基地局１０から送信されるべき各種の下り信号を生成し、移動機３０に送信する。例えば、無線通信制御部１０１は、移動機３０に対してメジャメントを指示するためのRRC Connection Reconfigurationを送信する。また、無線通信制御部１０１は、移動機３０から各種の上り信号を受信する。例えば、無線通信制御部１０１は、移動機３０からメジャメントの設定完了を示すRRC Connection Reconfiguration Completeを受信し、また、移動機３０からメジャメントレポートを受信する。
【００２９】
セル構成管理部１０３は、同一周波数バンド内に存在するセルのうち、同一アンテナにより形成されているセルのグループを、部分キャリア測定が可能なセルのグループとして管理する機能部である。例えば図５又は図６に示すように、セル構成管理部１０３は、部分キャリア測定が可能な周波数バンド、当該周波数バンドにて運用している周波数キャリア、及びセルの品質が同等となるセルのグループを管理する。例えば図５において、周波数キャリア＃Ａのセル＃１と周波数キャリア＃Ｂのセル＃２の品質が同等であり、周波数キャリア＃Ａのセル＃３と周波数キャリア＃Ｂのセル＃４の品質が同等であり、それぞれが一つのグループとして管理されている。同様に図６において、周波数キャリア＃Ｃのセル＃５と周波数キャリア＃Ｄのセル＃６と周波数キャリア＃Ｅのセル＃７の品質が同等であり、同様に周波数キャリア＃Ｃのセル＃８と周波数キャリア＃Ｄのセル＃９と周波数キャリア＃Ｅのセル＃１０の品質が同等であり、それぞれが一つのグループとして管理されている。セルの品質が同等であることの判定は、例えば図２のように、同一周波数バンド内であること、かつ同一アンテナにより形成されているセルであること、により行うことができる。図５又は図６のような管理テーブルは、基地局１０に予め手動で設定しておいても良いし、基地局１０が各セルの周波数バンド情報又はアンテナ情報を基に自動で作成しても良い。
【００３０】
測定キャリア選択及び指示部１０５は、移動機３０にメジャメントを実施させる周波数キャリアを選択する機能部であり、セル構成管理部１０３において管理されているセルの情報を基に、部分キャリア測定の実施可否判定、及び周波数キャリアの除外処理を実施する。具体的には、測定キャリア選択及び指示部１０５は、移動機３０に測定を指示する１以上の周波数キャリアを選択する際に、セル構成管理部１０３において管理されている、同一周波数バンド内に存在する同一グループのセルの複数の周波数キャリアについては、部分キャリア測定が実施可能であると判断し、当該複数の周波数キャリアの一部を測定対象から除外した上で、周波数キャリアの測定を移動機３０に指示する。
【００３１】
メジャメントレポート取得部１０７は、移動機３０から取得したメジャメントレポートの情報を管理する機能部であり、セル構成管理部１０３が保持するセルの情報を基に、部分キャリア測定により除外された周波数キャリアのセルの品質情報を生成する。具体的には、メジャメントレポート取得部１０７は、移動機３０から測定を指示した周波数キャリアに関するメジャメントレポートを取得し、当該メジャメントレポートにおいて測定されたセルと同一グループのセルをセル構成管理部１０３から取得し、同一グループのセルの品質情報をメジャメントレポートにおいて測定されたセルの品質情報と同等と見なす。
【００３２】
図７は、本発明の一実施形態における部分キャリア測定制御のフロー図である。本制御は測定キャリア選択及び指示部１０５が実施する。まず測定キャリア選択及び指示部１０５は、ハンドオーバ制御、バンド分散制御、ＣＡ制御など各種制御における任意の方法で測定キャリアを選択する（Ｓ２０１）。その後、セル構成管理部１０３が保持するセルの情報を取得し、部分キャリア測定が可能なバンドが存在するかどうかを判定する（Ｓ２０３）。部分キャリア測定が可能なバンドが存在する場合には、一部の周波数キャリアを測定対象から除外する（Ｓ２０５）。除外する周波数キャリアの選択は、任意の周波数キャリアを選択しても良いし、ある周波数キャリアを固定的に選択しても良いし、又は何らかの判定論理に基づいて選択しても良い。
【００３３】
例えば、セル構成管理部１０３から図５のセル情報を取得した場合、測定キャリア選択及び指示部１０５は、周波数キャリア＃Ａのセル＃１と周波数キャリア＃Ｂのセル＃２は同一グループのセルとして管理されており、同様に周波数キャリア＃Ａのセル＃３と周波数キャリア＃Ｂのセル＃４は同一グループのセルとして管理されていることが認識できる。従って、測定キャリア選択及び指示部１０５は、周波数バンドＸＸは部分キャリア測定が可能であると判断し、周波数バンドＸＸのうち一方の周波数キャリアを測定対象から除外することができる。
【００３４】
例えば、セル構成管理部１０３から図６のセル情報を取得した場合、測定キャリア選択及び指示部１０５は、周波数キャリア＃Ｃのセル＃５と周波数キャリア＃Ｄのセル＃６と周波数キャリア＃ＥのセルＥ７は同一グループのセルとして管理されており、同様に周波数キャリア＃Ｃのセル＃８と周波数キャリア＃Ｄのセル＃９と周波数キャリア＃Ｅのセル＃１０は同一グループのセルとして管理されていることが認識できる。従って、測定キャリア選択及び指示部１０５は、周波数バンドＹＹは部分キャリア測定が可能であると判断し、周波数バンドＹＹのうち１つ又は２つの周波数キャリアを測定対象から除外することができる。
【００３５】
図８は、部分キャリア測定が実施できない周波数キャリアが存在する例を示す概略図である。例えば、図８のような場合には、同一周波数バンドＺＺ内に存在する周波数キャリア＃Ｆ及び＃Ｇの中で、基地局１０のアンテナ２０−３はセル＃１５のみを形成しており、無線品質が同等とみなされるセルのグループを形成していない。このような場合、測定キャリア選択及び指示部１０５は、セル構成管理部１０３から図９のようなセル情報を取得する。仮に図８における移動機３０に周波数キャリア＃Ｇのみのメジャメントを指示した場合、移動機３０はセル＃１５に対応する周波数キャリア＃Ｇのセルを検出しないため、メジャメントレポートも報告しない。このように、周波数キャリア＃Ｇのセルを含まないセルのグループが存在するため、測定キャリア選択及び指示部１０５は、同一アンテナにより形成されたセルが存在しない周波数キャリア＃Ｇを測定対象から除外してもよい。その結果、図８のようなケースで周波数キャリア＃Ｆのメジャメントを指示することで、移動機３０はセル＃１５の品質を測定できる。
【００３６】
或いは、図８のように同一アンテナにより形成されたセルが存在しない周波数キャリア＃Ｇが存在する場合、周波数キャリア＃Ｆ及び＃Ｇを測定対象から除外不可と判定してもよい。
【００３７】
ここで、周波数キャリアの一部を測定対象から除外した後に、他の周波数バンドの周波数キャリアを新たに測定対象として追加しても良い。新たに測定対象として追加する周波数キャリアの数は、以上の部分キャリア測定処理で削減した周波数キャリアの数に限らず、削減した周波数キャリアの数より少なくしてもよく、削減した周波数キャリアの数より多くしてもよい。この場合、周波数キャリア数削減の効果は見込めない代わりに、より多数の周波数キャリアの情報を得ることができ、ハンドオーバ、バンド分散、及びＣＡなど各制御の実施効果を高めることができる。特にＬＴＥシステムでは、移動機が一度に測定できる周波数キャリア数には上限が規定されているため（非特許文献１参照）、このような処理は有効である。
【００３８】
測定キャリア選択及び指示部１０５は、以上の処理により選択した周波数キャリアのメジャメントを、無線通信制御部１０１を介して移動機３０に指示する（Ｓ２０７）。
【００３９】
図１０は、本発明の一実施形態におけるメジャメントレポート取得制御のフロー図である。本制御はメジャメントレポート取得部１０７が実施する。まずメジャメントレポート取得部１０７は、移動機３０からメジャメントレポートを受信し（Ｓ３０１）、メジャメントレポートに含まれている各セルが、部分キャリア測定を実施したバンドのセルであるかどうかを判定する（Ｓ３０３）。上記がＹＥＳの場合、メジャメントレポート取得部１０７は、セル構成管理部１０３が保持するセル情報を取得し、メジャメントレポートに含まれている当該セルと同一のグループに属するセルが存在するかどうかを判定する（Ｓ３０５）。上記がＹＥＳの場合、メジャメントレポートに含まれている当該セルの品質情報を利用して、同一グループに属するセルの品質情報を生成する（Ｓ３０７）。品質情報の生成は、例えばメジャメントレポートにて報告された当該セルの品質と同一の情報を生成しても良いし、報告された品質に何らかの補正を加えても良い。
【００４０】
例えば図５において、周波数キャリア＃Ｂが測定対象から除外され、周波数キャリア＃Ａのメジャメントレポートが取得された場合、メジャメントレポート取得部１０７は、周波数キャリア＃Ｂのセル＃２の品質情報を、メジャメントレポートにおいて測定されたセル＃１の品質情報と同等と見なし、周波数キャリア＃Ｂのセル＃４の品質情報を、メジャメントレポートにおいて測定されたセル＃３の品質情報と同等と見なす。
【００４１】
同様に図６において、周波数キャリア＃Ｄ及び＃Ｅが測定対象から除外され、周波数キャリア＃Ｃのメジャメントレポートが取得された場合、メジャメントレポート取得部１０７は、周波数キャリア＃Ｄのセル＃６及び周波数キャリア＃Ｅのセル＃７の品質情報を、メジャメントレポートにおいて測定されたセル＃５の品質情報と同等と見なし、周波数キャリア＃Ｄのセル＃９及び周波数キャリア＃Ｅのセル＃１０の品質情報を、メジャメントレポートにおいて測定されたセル＃８の品質情報と同等と見なす。
【００４２】
メジャメントレポートに含まれる全てのセルについて以上の処理を実施した後（Ｓ３０９）、取得した全てのセルの品質情報を用いてハンドオーバ制御、バンド分散制御、ＣＡ制御などの各種制御を実施する。
【００４３】
続いて、基地局間でのセル情報の交換により、セル構成管理部１０３においてセル情報を生成する例について説明する。図１１は、基地局間での情報交換によりセル情報を生成する例を示す概略図である。移動機３０の周辺に異なる基地局１０−１及び１０−２のセルが存在した場合の例を示している。基地局１０−１は同一周波数バンド内ＸＸ内で同一アンテナ２０−１により形成されているセル＃１及び＃２のセル情報を生成することができ、基地局１０−２は同一周波数バンドＸＸ内で同一アンテナ２０−４により形成されているセル＃３及び＃４のセル情報を生成することができる。その後、基地局１０−１及び１０−２間で協調してセル情報を管理することにより、図１１のような例においても部分キャリア測定を実施することが可能となる。すなわち、本実施形態では、基地局１０−１のセル構成管理部１０３が他の基地局１０−２のセル情報を取得し、当該セル情報も含めて部分キャリア測定を実施する。同様に、他の基地局１０−２のセル構成管理部１０３も基地局１０−１のセル情報を取得し、当該セル情報も含めて部分キャリア測定を実施する。これにより、異なる基地局のセルについても、部分キャリア測定によって品質情報を生成することが可能となる。本実施形態により、異なる基地局のセルへハンドオーバ、バンド分散をする際、もしくは、ＤＣ（Dual Connectivity）制御によって異なる基地局のセルをセカンダリセルとして設定する際にも部分キャリア測定を実施でき、本発明の適用範囲を拡張することが可能となる。
【００４４】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【００４５】
例えば、本発明の一実施形態における基地局などは、本発明の方法の処理を行うコンピュータとして機能してもよい。図１２は、本発明の一実施形態に係る基地局１０のハードウェア構成の一例を示す図である。上述の基地局１０は、物理的には、プロセッサ１００１、メモリ１００２、ストレージ１００３、通信装置１００４、入力装置１００５、出力装置１００６、バス１００７などを含むコンピュータ装置として構成されてもよい。
【００４６】
なお、以下の説明では、「装置」という文言は、回路、デバイス、ユニットなどに読み替えることができる。基地局１０のハードウェア構成は、図に示した各装置を１つ又は複数含むように構成されてもよいし、一部の装置を含まずに構成されてもよい。
【００４７】
基地局１０における各機能は、プロセッサ１００１、メモリ１００２などのハードウェア上に所定のソフトウェア（プログラム）を読み込ませることで、プロセッサ１００１が演算を行い、通信装置１００４による通信、及び／又は、メモリ１００２及びストレージ１００３におけるデータの読み出し及び／又は書き込みを制御することで実現される。
【００４８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述のセル構成管理部１０３の一部、測定キャリア選択及び指示部１０５、メジャメントレポート取得部１０７などは、プロセッサ１００１で実現されてもよい。
【００４９】
また、プロセッサ１００１は、プログラム（プログラムコード）、ソフトウェアモジュール及び／又はデータを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、上述のセル構成管理部１０３の一部、測定キャリア選択及び指示部１０５、メジャメントレポート取得部１０７などは、メモリ１００２に格納され、プロセッサ１００１で動作する制御プログラムによって実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００５０】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施形態に係る方法を実施するために実行可能なプログラム（プログラムコード）、ソフトウェアモジュールなどを保存することができる。
【００５１】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００５２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の無線通信制御部１０１などは、通信装置１００４で実現されてもよい。
【００５３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００５４】
また、プロセッサ１００１及び／又はメモリ１００２などの各装置は、情報を通信するためのバス１００７で接続される。バス１００７は、単一のバスで構成されてもよいし、装置間で異なるバスで構成されてもよい。
【００５５】
また、基地局１０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
＜本発明の実施形態の効果＞
本発明の実施形態によれば、同一周波数バンド内の異なる周波数キャリアのセルの品質情報を取得する場合に、測定する周波数キャリアの数を削減することが可能になる。また、削減した周波数キャリアのメジャメントレポートも、同一周波数バンド内で同一アンテナにより形成されているセルの品質は同等と見なすことで、ハンドオーバ制御、バンド分散制御、ＣＡ制御などの各種制御を実施することができる。
【００５６】
このため、ハンドオーバ、バンド分散、又はＣＡ制御が完了するまでに要する時間が増大してしまい、ハンドオーバ制御が完了する前に品質が劣化し接続が切断されてしまう、又は、バンド分散又はＣＡ制御において高速、大容量な通信を実施するまでに遅延が生じてしまうといった状況を回避することができる。また、測定するキャリア数の削減により、移動機における消費電力を節約することができる。
【００５７】
また、削減した周波数キャリアの数を上限に、他の周波数バンドの周波数キャリアを測定対象として追加することにより、周波数キャリア数削減の効果は見込めない代わりに、より多数の周波数キャリアの情報を得ることができ、ハンドオーバ、バンド分散、及びＣＡなど各制御の実施効果を高めることができる。
【００５８】
また、基地局間でのセル情報の交換により、異なる基地局のセルへハンドオーバ、バンド分散をする際、もしくは、ＤＣ制御によって異なる基地局のセルをセカンダリセルとして設定する際にも部分キャリア測定を実施でき、本発明の適用範囲を拡張することが可能となる。
【００５９】
＜補足＞
本明細書で説明した各態様／実施形態は、ＬＴＥ（Long Term Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００６０】
本明細書で使用する「システム」及び「ネットワーク」という用語は、互換的に使用される。
【００６１】
本明細書において基地局によって行われるとした特定動作は、場合によってはその上位ノード（upper node）によって行われることもある。基地局を有する１つ又は複数のネットワークノード（network nodes）からなるネットワークにおいて、端末との通信のために行われる様々な動作は、基地局及び／又は基地局以外の他のネットワークノード（例えば、ＭＭＥ又はＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【００６２】
情報等は、上位レイヤ（又は下位レイヤ）から下位レイヤ（又は上位レイヤ）へ出力され得る。複数のネットワークノードを介して入出力されてもよい。
【００６３】
入出力された情報等は特定の場所（例えば、メモリ）に保存されてもよいし、管理テーブルで管理してもよい。入出力される情報等は、上書き、更新、又は追記され得る。出力された情報等は削除されてもよい。入力された情報等は他の装置へ送信されてもよい。
【００６４】
情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、ブロードキャスト情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【００６５】
判定は、１ビットで表される値（０か１か）によって行われてもよいし、真偽値（Boolean：true又はfalse）によって行われてもよいし、数値の比較（例えば、所定の値との比較）によって行われてもよい。
【００６６】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６７】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００６８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００６９】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００７０】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００７１】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００７２】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００７３】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【００７４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７５】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素への参照は、２つの要素のみがそこで採用され得ること、又は何らかの形で第１の要素が第２の要素に先行しなければならないことを意味しない。
【００７６】
「含む（include）」、「含んでいる（including）」、及びそれらの変形が、本明細書あるいは特許請求の範囲で使用されている限り、これら用語は、用語「備える（comprising）」と同様に、包括的であることが意図される。さらに、本明細書あるいは特許請求の範囲において使用されている用語「又は（or）」は、排他的論理和ではないことが意図される。
【００７７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７８】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００７９】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００８０】
１０，１０−１，１０−２                基地局
２０−１，２０−２，２０−３，２０−４  アンテナ
３０                                    移動機
１０１                                  無線通信制御部
１０３                                  セル構成管理部
１０５                                  測定キャリア選択及び指示部
１０７                                  メジャメントレポート取得部
１００１                                プロセッサ
１００２                                メモリ
１００３                                ストレージ
１００４                                通信装置
１００５                                入力装置
１００６                                出力装置
【図１】
2018038016.tif 000003
【図２】
2018038016.tif 000004
【図３】
2018038016.tif 000005
【図４】
2018038016.tif 000006
【図５】
2018038016.tif 000007
【図６】
2018038016.tif 000008
【図７】
2018038016.tif 000009
【図８】
2018038016.tif 000010
【図９】
2018038016.tif 000011
【図１０】
2018038016.tif 000012
【図１１】
2018038016.tif 000013
【図１２】
2018038016.tif 000014